(57)【要約】【課題】熱源用の操作子１０Ｂを支持する支持枠１３の前面に、支持枠を覆う操作パネル８Ｒを取付けるようにした加熱調理器の前面構造であって、高級感があり、且つ、組立が容易な生産性に優れたものを提供する。【解決手段】操作パネル８Ｒを金属の押し出し成形材で構成して、操作パネル８Ｒの裏面側に横方向に延在する上下一対の雌型または雄型の係合部８１を形成すると共に、支持枠１３に、操作パネル８Ｒの両係合部８１に対応する上下一対の雄型または雌型の係合部１３３を形成し、操作パネル８Ｒの係合部を支持枠１３の係合部１３３に横方向にスライドさせて係合させる。また、支持枠１３に操作子１０Ｂを囲うリング部材１４を装着し、操作パネル８Ｒの操作子用開口８２にリング部材１４を嵌合させて、操作パネル８Ｒを横方向に位置決めする。【選択図】図３
2005351522.tif 000002
【特許請求の範囲】
【請求項１】
加熱調理器の前面構造であって、加熱調理器の熱源用の操作子を支持する支持枠の前面に、支持枠を覆う操作パネルを取付けるものにおいて、
操作パネルを金属の押し出し成形材で構成して、操作パネルの裏面側に横方向に延在する上下一対の雌型または雄型の係合部を形成すると共に、
支持枠に、操作パネルの両係合部に対応する上下一対の雄型または雌型の係合部を形成し、
操作パネルの係合部を支持枠の係合部に横方向にスライドさせて係合させることにより支持枠の前面に操作パネルが連結されることを特徴とする加熱調理器の前面構造。
【請求項２】
前記支持枠に後方から着脱自在に装着される、前記操作子を囲うリング部材を備え、リング部材を、前記操作パネルに形成した操作子を臨ませる操作子用開口に嵌合させることを特徴とする請求項１記載の加熱調理器の前面構造。
【請求項３】
前記リング部材は、透光材料で形成され、前記操作子で操作される熱源の作動時に点灯する光源からの光がリング部材を介して前方に照射されるようにすることを特徴とする請求項２記載の加熱調理器の前面構造。
【発明の詳細な説明】
【技術分野】
【０００１】
本発明は、ガスコンロ等の加熱調理器の前面構造に関し、特に、加熱調理器の熱源用の操作子を支持する支持枠の前面に、支持枠を覆う操作パネルを取付けるようにした加熱調理器の前面構造に関する。
【背景技術】
【０００２】
従来、加熱調理器の熱源用の操作子を支持する支持枠は熱源の操作ユニット（熱源がバーナであるときはガスバルブユニット）にブラケットを介して取付けられ、調理器本体の前面に、支持枠を覆うようにして操作パネルを取付けている（例えば、特許文献１参照）。
【０００３】
然し、これでは、組み付け公差により操作パネルと支持枠との相対位置関係にずれを生じ、操作パネルに形成した操作子を臨ませる操作子用開口に対し操作子が偏心して、体裁を損なうことがある。かかる不具合を解消するため、操作パネルを樹脂製或いは金属板のプレス成形品で構成し、操作パネルの裏面側に支持枠に対する連結部を形成し、支持枠の前面に操作パネルを連結部において連結して、操作パネルと支持枠との相対位置精度を確保するようにしたものも知られている。
【０００４】
また、最近は、高級感を出すため、操作パネルとしてステンレス製の平板を用いたものが商品化されている。このような操作パネルでは、その裏面に支持枠に対する連結部を形成することは困難である。この場合、操作パネルを支持枠の前面にねじ止めすることも考えられるが、これではねじが外観に現われて体裁を損なう。そのため、支持枠の前面に操作パネルを接着している。然し、操作パネルの接着作業には手間がかかり、生産性の向上を図る上で障害になる。
【特許文献１】実開昭６０−９２０１０号公報（第２図）
【発明の開示】
【発明が解決しようとする課題】
【０００５】
本発明は、以上の点に鑑み、高級感があって、且つ、組立が容易な生産性に優れた加熱調理器の前面構造を提供することをその課題としている。
【課題を解決するための手段】
【０００６】
上記課題を解決するために、本発明は、加熱調理器の前面構造であって、加熱調理器の熱源用の操作子を支持する支持枠の前面に、支持枠を覆う操作パネルを取付けるものにおいて、操作パネルを金属の押し出し成形材で構成して、操作パネルの裏面側に横方向に延在する上下一対の雌型または雄型の係合部を形成すると共に、支持枠に、操作パネルの両係合部に対応する上下一対の雄型または雌型の係合部を形成し、操作パネルの係合部を支持枠の係合部に横方向にスライドさせて係合させることにより支持枠の前面に操作パネルが連結されることを特徴とする。
【０００７】
本発明によれば、操作パネルが金属の押し出し成形材で構成されるため、樹脂製や金属板のプレス成形品から成る操作パネルに比し重厚で高級感が得られる。また、操作パネルの裏面側の上記雌型または雄型の係合部は押し出し成形により無理なく形成できる。そして、操作パネルを横方向にスライドして支持枠の前面に連結できるため、操作パネルを支持枠に接着するものに比し組立が容易になり、生産性が向上する。また、操作パネルと支持枠との連結部（雌型と雄型の係合部）が外観に現われず、体裁が良好になる。
【０００８】
尚、本発明では、支持枠に対する操作パネルの横方向の位置決めが必要になる。そのため、支持枠に後方から着脱自在に装着される、操作子を囲うリング部材を設け、リング部材を、操作パネルに形成した操作子を臨ませる操作子用開口に嵌合させることが望ましい。これによれば、操作パネルを横方向にスライドして支持枠の前面に連結した後、リング部材を支持枠に後方から装着して操作パネルの操作子用開口に嵌合させることにより、操作パネルが支持枠に対しリング部材を介して横方向に位置決めされる。そして、操作子用開口に対し操作子がリング部材を介して芯決めされることになり、操作子が操作子用開口に対し偏心して体裁を損なうことを確実に防止できる。
【０００９】
また、リング部材を透光材料で形成し、操作子で操作される熱源の作動時に点灯する光源からの光がリング部材を介して前方に照射されるようにすれば、リング部材を位置決めだけでなく操作表示にも兼用でき、有利である。
【発明を実施するための最良の形態】
【００１０】
図１は、システムキッチンのカウンタトップＣＴ(図２参照)に組み込むドロップイン式ガスコンロから成る加熱調理器を示している。このコンロは、上面を開放面とする箱形のコンロ本体１を備えている。コンロ本体１の上縁には、図２に示す如く、外曲げフランジ１ａが形成されており、コンロ本体１をカウンタトップＣＴに開設したコンロ開口ＣＴａに落とし込んだ状態で、外曲げフランジ１ａをコンロ開口ＣＴａの開口縁部に掛止して、コンロ本体１をカウンタトップＣＴに吊持させている。そして、カウンタトップＣＴ上に載置する天板２によりコンロ本体１を外曲げフランジ１ａに亘って上方から覆うようにしている。
【００１１】
コンロ本体１には、熱源たる前側の左右２個と後側の１個の計３個のコンロバーナ３と、グリル４とが配置されている。そして、天板２に、これら各コンロバーナ３を臨ませる開口を形成して、各開口を囲うように五徳５を載置すると共に、天板２の後部に、グリル４用の排気口２ａを形成している。尚、各コンロバーナ３には、その内周空間に位置させて、五徳５上の調理容器の底面に当接してその温度を検出する鍋底温度センサ３ａが付設されている。また、各コンロバーナ３へのガス供給及びグリル４に設けるグリルバーナ（図示せず）へのガス供給は、コンロ本体１内に設けた各電動バルブ６で制御されるようになっており、電動バルブ６を制御するコントローラ７がコンロ本体１内の底部に配置されている。
【００１２】
コンロ本体１の前部は、コンロ開口ＣＴａの前側のカウンタトップＣＴの部分の下方に潜り込んでおり、この前部の前面に、カウンタトップＣＴの下で前方に露出するように、グリル扉４ａとその左右の操作パネル８Ｌ，８Ｒとが設けられている。また、コンロ本体１の左右の各外側面には、カウンタトップＣＴの下に確保するコンロ設置空間の左右の各側面との間に生ずる隙間を前方から封鎖するエンドピース９が取付けられている。
【００１３】
グリル扉４ａは、コンロ本体１の横方向中央部から左側に偏倚しており、右側の操作パネル８Ｒの方が左側の操作パネル８Ｌより横方向長さが長くなっている。そして、右側の操作パネル８Ｒに、横方向に並べて３個のコンロバーナ３用の３個の操作子１０Ｂを配置すると共に、操作子１０Ｂの配置部の下側に、各コンロバーナ３での加熱モードの設定や加熱温度等の設定を行う各種操作スイッチと表示部とを有する引き出し方式のコントロールパネル１１Ｂを配置し、更に、右上隅に電源スイッチ１２を配置している。また、左側の操作パネル８Ｌには、グリル４用の操作子１０Ｇと、その下側の引き出し方式のグリル４用コントロールパネル１１Ｇとが配置されている。
【００１４】
各操作パネル８Ｌ，８Ｒは、夫々、操作子１０Ｂ，１０Ｇを支持する支持枠１３の前面に連結されている。この点を右側の操作パネル８Ｒ及びコンロバーナ３用の操作子１０Ｂを支持する支持枠１３について図３及び図４を参照して詳述する。支持枠１３は、後方に開口する樹脂製の箱体１３１と、箱体１３１の後端の開口面に取付けられる蓋板１３２とで構成されており、蓋板１３２にコンロバーナ３用の各操作子１０Ｂが支持されている。ここで、箱体１３１の前面には、上下に張り出すフランジ部で構成される上下一対の雄型の係合部１３３，１３３が形成されている。また、操作パネル８Ｒは、高級感を出すため、金属、例えば、アルミニウムの押し出し成形材で形成されている。操作パネル８Ｒの裏面側には、押し出し成形時に、前記雄型係合部１３３に対応する溝状の断面形状で横方向に延在する上下一対の雌型の係合部８１，８１が形成される。そして、操作パネル８Ｒの雌型係合部８１，８１を支持枠１３の雄型係合部１３３，１３３に横方向にスライドさせて係合させ、これにより支持枠１３の前面に操作パネル８Ｒを連結している。これによれば、支持枠１３と操作パネル８Ｒとの連結部が外観に現われず体裁が良好になり、また、支持枠１３の前面に操作パネルを接着するものと異なり、組立が容易になる。尚、操作パネル８Ｒに雄型の係合部を形成し、これを支持枠１３に形成する雌型の係合部に横方向からスライドさせて係合させることも可能である。
【００１５】
また、本実施形態では、雄型係合部１３３を単純な板状に形成し、これに対応させて雌型係合部８１を断面方形の溝状に形成しているが、これに限るものではなく、例えば、雄型係合部１３３をその端部が前後方向に屈曲する断面鍵形形状に形成し、雌型係合部８１を対応する断面鍵形の溝状に形成しても良い。
【００１６】
ところで、雄型と雌型の係合部１３３，８１の係合だけでは、操作パネル８Ｒを支持枠１３に対し横方向に位置決めできない。そこで、各操作子１０Ｂを囲うリング部材１４を支持枠１３に装着し、リング部材１４を、操作パネル８Ｒに形成した各操作子１０Ｂを臨ませる操作子用開口８２に嵌合させるようにしている。これによれば、操作パネル８Ｒが支持枠１３に対しリング部材１４を介して横方向に位置決めされる。そして、操作子用開口８２に対し操作子１０Ｂがリング部材１４を介して芯決めされることになり、操作子１０Ｂが操作子用開口８２に対し偏心して体裁を損なうことを確実に防止できる。
【００１７】
ここで、リング部材１４は、後側の大径部１４１と前側の小径部１４２とを有する段付形状に形成され、支持枠１３を構成する箱体１３１の前面に形成したリング装着孔１３４に大径部１４１において後方から着脱自在に装着される。そして、操作パネル８Ｒを支持枠１３の前面に連結した後に、リング装着孔１３４にリング部材１４をその大径部１４１の前端面が操作パネル８Ｒの裏面に当接するように装着し、リング部材１４の小径部１４２を操作パネル８Ｒの操作子用開口８２に嵌合させるようにしている。
【００１８】
操作パネル８Ｒの下部は、支持枠１３の前面に接合する上部に対し後方に凹入しており、この凹入部８３に、押し出し成形後のプレス加工で、コントロールパネル１１Ｂの収納ボックス１１１（図２参照）を装着する開口８４が形成されている。コントロールパネル１１Ｂは、収納ボックス１１１に組み込んだプッシュプッシュ機構（図示せず）により、一旦押し込むことで収納ボックス１１１の前方に押し出され、コントロールパネル１１Ｂの上面の操作面が操作パネル８Ｒの前方に突出する。尚、コントロールパネル１１Ｂの進退方向は前下がりに傾斜した方向に設定されている。これによれば、コントロールパネル１１Ｂの突出状態において、操作面を斜め上方から見ながら操作面上の各種スイッチの押し操作を行うことができて、操作性が向上し、更に、自重を利用したコントロールパネル１１Ｂのスムーズな動きが得られるようになる。また、コントロールパネル１１Ｂの前端には、外面にアルミニウム板を貼り付けた蓋板１１２が取付けられており、コントロールパネル１１Ｂの収納状態では、蓋板１１２が操作パネル８Ｒの上部と面一になって凹入部８３を覆い隠し、体裁が良好に保たれる。
【００１９】
操作パネル８Ｒの上縁には、上方の雌型係合部８１の後方に張り出す庇部８５が形成され、庇部８５の後縁に打抜き加工でコンロ本体１に対する係合爪８６が形成されている。また、操作パネル８Ｒの凹入部８３の左右の各側部には、コンロ本体１に対する取付け孔８７が形成されている。そして、コンロ本体１の前部の上面前縁に形成した係合孔（図示せず）に係合爪８６を係合させた状態で、操作パネル８Ｒを取付け孔８７においてコンロ本体１の前部前面にねじ止めするようにしている。
【００２０】
各操作子１０Ｂは、図３に示す如く、外面にアルミニウム製のキャップ１０１を嵌着した円筒状であって、支持枠１３の蓋板１３２に固定したロータリーエンコーダ１０２にプッシュプッシュ機構を組み込んだ中継部材１０３を介して連結される。また、蓋板１３２に、ロータリーエンコーダ１０２の側部に位置させてリミットスイッチ１０４を固定し、操作子１０Ｂの後端部に、リミットスイッチ１０４と協働する拡径部１０５を設けている。操作子１０Ｂは、常時は後方の没入位置に存し、没入位置から一度押し込むとプッシュプッシュ機構の働きで前方の突出位置に前進する。そして、操作子１０Ｂの突出位置への前進がリミットスイッチ１０４で検出されると、対応するコンロバーナ３が点火され、更に、突出位置での操作子１０Ｂの回転操作により、ロータリーエンコーダ１０２からの信号がコントローラ７に送信され、電動バルブ６が制御されてコンロバーナ３の火力が調節される。
【００２１】
支持枠１３の箱体１３１内には、３個の操作子１０Ｂに対応する３個のリング部材１４を後方から押える押え板を兼ねる表示用基板１５が取付けられている。表示用基板１５には、図５に示す如く、各リング部材１４の下側に位置させて、当該リング部材１４で囲われる操作子１０Ｂに対応するコンロバーナ３の燃焼時（作動時）に点灯するＬＥＤから成る作動表示用の光源１５Ｓが取付けられ、また、各リング部材１４の上側に位置させて、対応するコンロバーナ３の火力（加熱量）に応じて順次点灯する複数の加熱量表示用の光源１５Ｋが取付けられている。尚、加熱量表示用光源１５Ｋは、作動表示用光源１５Ｓとは異なる色の光を発光するＬＥＤで構成される。また、表示用基板１５の右上隅には電源スイッチ１２が取付けられており、電源スイッチ１２に図示省略したＬＥＤを内蔵させて、電源オン時に電源スイッチ１２が光るようにしている。
【００２２】
各リング部材１４は透光材料で形成されている。そして、図３に示されているように、各リング部材１４の下部の作動表示用光源１５Ｓに対向する部分に凹欠部１４３を形成し、作動表示用光源１５Ｓからの光が凹欠部１４３からリング部材１４に入射され、リング部材１４内で反射拡散されて、小径部１４２の周方向全域から前方に照射されるようにしている。かくして、各コンロバーナ３の燃焼時は、対応する操作子１０Ｂを囲うリング部材１４が光り、そのため、リング部材１４が光っているか否かで対応するコンロバーナ３が燃焼中であるか否かを明瞭に識別することができる。
【００２３】
各リング部材１４の上部には、周方向の間隔を存して複数の導光部材１４４が嵌め込まれ、加熱量表示用の各光源１５Ｋからの光が各導光部材１４４を介して照射されるようにしている。ここで、加熱量表示用の各光源１５Ｋをリング部材１４の後方に配置して、各光源１５Ｋからの光を導光部材を介さずにリング部材１４に入射することも考えられるが、これでは光が拡散して、加熱量表示がぼやけ識別しにくくなる。これに対し、本実施形態によれば、加熱量表示用光源１５Ｋからの光が導光部材１４４により拡散することなくリング部材１４内に導かれ、導光部材１４４の先端が明るく光る。そのため、加熱量表示用の各光源１５Ｋからの光を明確に分離して視認できるようになり、加熱量表示が明瞭化される。
【００２４】
各導光部材１４４は、リング部材１４の軸方向先方、即ち、前方を向く出射部１４４ａと、出射部１４４ａに対し屈曲してリング部材１４の径方向外方にのびる入射部１４４ｂとを有する略Ｌ字状に形成されている。そして、リング部材１４の上部後面に放射状の複数の溝１４５を形成し、各溝１４５に後方から各導光部材１４４を嵌め込み、各導光部材１４４の入射部１４４ｂの外端を加熱量表示用の各光源１５Ｋに対向させるようにしている。ここで、導光部材１４４を出射部１４４ａからリング部材１４の軸方向（前後方向）にのびる真直な形状に形成することも考えられるが、これでは、複数の導光部材１４４の出射部１４４ａの配置ピッチと、これら導光部材１４４の尾端側の入射部に臨ませる複数の加熱量表示用の光源の配置ピッチとを等しくしなければならず、光源同士の干渉を避ける上で、出射部１４４ａの配置ピッチを所定限度以下に狭めることができなくなる。これに対し、本実施形態では、複数の導光部材１４４の出射部１４４ａの配置ピッチが狭くても、入射部１４４ｂの外端の配置ピッチ、即ち、入射部１４４ｂの外端に臨ませる加熱量表示用光源１５Ｋの配置ピッチは広く確保される。従って、出射部１４４ａの配置ピッチに関する設計の自由度を増すことができる。
【００２５】
尚、導光部材１４４は、内面反射で光を導く導光管で構成しても良いが、本実施形態では、透光材料で導光部材１４４を形成している。そして、出射部１４４ａと入射部１４４ｂとの間の屈曲部に傾斜した反射面１４４ｃを形成し、入射部１４４ｂからの光が反射面１４４ｃで全反射されて出射部１４４ａに導かれるようにしている。
【００２６】
図１を参照して、カウンタトップＣＴのコンロ開口ＣＴａ内に位置するコンロ本体１の上部前面には、コンロ本体１内に燃焼用空気を取り入れる通気孔１６が複数開設されている。コンロバーナ３やグリルバーナの燃焼時には、バーナ混合管３ｂへの一次空気の吸引や燃焼炎のドラフトによる二次空気の吸引でコンロ本体１内が負圧になり、通気孔１６から空気が吸引されて、バーナ混合管３ｂやバーナ燃焼部に向かう空気流を生ずる。また、通気孔１６に向けて吸引される空気によりカウンタトップＣＴが冷却される。
【００２７】
ところで、コンロ本体１内はコンロバーナ３やグリル４からの輻射熱によりかなり高温になり、電動バルブ６の熱損を防止するため、電動バルブ６を冷却することが必要になる。ここで、上記通気孔１６から流入する空気はコンロ本体１内の上部に流れ、コンロ本体１内の下部に配置する電動バルブ６を通気孔１６からの流入空気で冷却することはできない。この場合、電動バルブ６の配置部前方に位置する操作パネル８Ｒに、電動バルブ６の冷却のための空気取り入れ口を開設することも考えられるが、これでは、操作パネル８Ｒを押し出し成形材で形成することにより得ようとしたフラット感が損なわれ、体裁が悪くなる。
【００２８】
そこで、本実施形態では、図３、図６に明示する如く、カウンタトップＣＴの下面に対向するコンロ本体１の前部上面１ｂに、電動バルブ６の冷却のための空気取り入れ口１７を開設している。また、コンロバーナ３の内周空間から落下する煮こぼれ汁が電動バルブ６にかかることを防止するため、コンロ本体１内に、電動バルブ６の配置部を上方から覆う煮こぼれカバー１８を設け、この煮こぼれカバー１８の前端部をコンロ本体１の前部上面１ｂの後端部に重ね合わせて、煮こぼれカバー１８がコンロ本体１の前部上面１ｂの後端部に連続するようにしている。これによれば、バーナ混合管３ｂが電動バルブ６の配置部より上方に配置されていても、空気取り入れ口１７から煮こぼれカバー１８の下方空間を介してバーナ混合管３ｂに向かう空気流が形成され、この空気流により電動バルブ６が確実に空冷される。
【００２９】
然し、コンロ本体１の前部上面１ｂには、天板２から流れ出た煮こぼれ汁がカウンタトップＣＴの下面を伝って垂れ落ちることがあり、このままでは、コンロ本体１の前部上面１ｂに形成した空気取り入れ口１７からコンロ本体内に煮こぼれ汁が侵入する可能性がある。そこで、コンロ本体１の前部上面１ｂに、当該上面１ｂを空気取り入れ口１７の形成箇所に亘って上方から覆う覆い板１７１を設け、覆い板１７１に、空気取り入れ口１７の上方にオーバーラップしないように空気流入口１７２を形成している。これによれば、空気流入口１７２からコンロ本体１の前部上面１ｂと覆い板１７１との間の隙間を介して空気取り入れ口１７に至る一種の迷路状の空気通路が形成され、空気取り入れ口１７に煮こぼれ汁が侵入することが効果的に防止される。また、覆い板１７１の空気流入口１７２の形成箇所は上方に盛り上がっており、空気流入口１７２への煮こぼれ汁の侵入が抑制される。
【００３０】
更に、本実施形態では、コンロ本体１の前部上面１ｂの前縁寄りの部分に、下方に窪む樋部１７３を形成し、空気取り入れ口１７を樋部１７３の底面より上方に位置する部分、即ち、樋部１７３の後側の立上り部の上縁のコーナ部に形成している。そして、樋部１７３の上方にオーバーラップする覆い板１７１の部分に空気流入口１７２を形成している。そのため、空気流入口１７２から落下する煮こぼれ汁は樋部１７３に入り、空気取り入れ口１７に煮こぼれ汁が侵入することを確実に防止できる。
【００３１】
以上、グリル４の右側に位置する操作パネル８Ｒを含むコンロの構造について説明したが、グリル４の左側に位置する操作パネル８Ｌを含むコンロの構造も上記と同様であり、その詳細な説明は省略する。
【００３２】
また、上記実施形態では、ドロップイン式ガスコンロの前面構造に本発明を適用したが、ガスコンロ以外の加熱調理器、例えば、熱源として電気ヒータを用いる電気コンロ、更には、熱源として電磁誘導コイルを用いるＩＨ調理器の前面構造としても同様に本発明を適用できる。
【図面の簡単な説明】
【００３３】
【図１】本発明を適用したドロップイン式ガスコンロの斜視図。
【図２】図１のＩＩ−ＩＩ線で切断したコンロの断面図。
【図３】コンロ前部の拡大断面図。
【図４】コンロの操作パネルと操作子用支持枠との連結状態の斜視図。
【図５】操作子用支持枠に組み込むリング部材と表示用光源とを示す斜視図。
【図６】コンロの前部上面の覆い板を取り外した状態の斜視図。
【符号の説明】
【００３４】
８Ｒ…操作パネル、８１…雌型の係合部、８２…操作子用開口、１０Ｂ…操作子、１３…支持枠、１３３…雄型の係合部、１４…リング部材、１５Ｓ…光源。
【図１】
2005351522.tif 000003
【図２】
2005351522.tif 000004
【図３】
2005351522.tif 000005
【図４】
2005351522.tif 000006
【図５】
2005351522.tif 000007
【図６】
2005351522.tif 000008